(57)【要約】【課題】脱脂ぬかを有効利用して、自然サイクルの中で分解される自然にやさしい農業用素材を提供する【解決手段】脱脂ぬかに水を入れて加熱しながら混錬したパテ状の物質を含む農業用素材。【採用する図面】なし【特許請求の範囲】
【請求項１】
脱脂ぬかに水を入れて加熱しながら混錬したパテ状の物質を含む農業用素材。
【請求項２】
パテ状の物質に、澱粉類、穀類、芋類、タンパク質類、多糖類粘質物、セルロース誘導体、マンナンから選ばれる天然糊の１種又は２種以上を添加した請求項１記載の農業用素材。
【請求項３】
パテ状の物質に、生分解性プラスチックスの１種又は２種以上を添加した請求項１又は請求項２に記載された農業用素材。
【請求項４】
パテ状の物質に、カプセル肥料、カプセル農薬を添加した請求項１ないし請求項３のいずれかひとつに記載された農業用素材。
【請求項５】
パテ状の物質に、乾燥土類、鉱物類、乾燥植物類、乾燥家畜糞類から選ばれる保水材の１種又は２種以上を添加した請求項１ないし請求項４のいずれかひとつに記載された農業用素材。
【請求項６】
請求項１ないし請求項５のいずれか一つに記載された農業用素材を用いて、成型した苗育成用植木鉢。
【請求項７】
請求項１ないし請求項５のいずれか一つに記載された農業用素材を用いて、成型した農業用シート。
【発明の詳細な説明】
【０００１】
【発明の属する技術分野】
本発明は、脱脂ぬかを用いた農業用素材及びそれを用いた苗育成用植木鉢、農業シートを提供することを目的としている。
【０００２】
【従来の技術】
米を精米したときに出る米ぬかから、油を搾ったあとに残る脱脂ぬかは、使い道がなくただ捨てられていた。本発明者は、脱脂ぬかを有効利用することを目的に研究を続けた。
また、天然物や生分解性プラスチックスを用いた農業用素材は研究されてきたが、脱脂ぬかを農業用素材として積極的に使うことは行われていなかった。
【０００３】
【発明が解決しようとする課題】
本発明者は、脱脂ぬかの有効利用と自然サイクルの中で分解される自然にやさしい農業用素材の開発をめざして研究をした結果、脱脂ぬかを水の存在下で、長時間に亘って混錬すると、脱脂ぬか中の炭水化物が作用して、パテ状の物質に変化し、このパテ状の物質は加圧成型できることを見出して本発明に到達するに至った。
【０００４】
【課題を解決するための手段】
すなわち、脱脂ぬかに水を入れて４０℃〜１００℃好ましくは５０℃〜７０℃に加熱しながら、混錬することにより、パテ状の物質が得られる。本発明は、このパテ状の物質を含む農業用素材が有効に加圧成型でき、自然にやさしい農業用素材となることを確認したものである。脱脂ぬか：水の混合比は適宜変えることが出来、パテ状の物質の水分含有率は約２０〜８０％の範囲で適宜目的に応じて変えることが出来る。
また、成型性能を高めるためにパテ状の物質に、澱粉類、穀類、芋類、タンパク質類、多糖類粘質物、セルロース誘導体、マンナンから選ばれる天然糊の１種又は２種以上を添加することができる。
パテ状の物質：天然糊の混合比は７０〜９５：３０〜５（質量比）好ましくは８０〜９０：２０〜１０（質量比）である。
さらに、成型性能を高めるためにパテ状の物質に、生分解性プラスチックスの１種又は２種以上を添加することができる。
パテ状の物質：生分解性プラスチックスの混合比は６０〜９５：４０〜５（質量比）好ましくは７５〜９０：２５〜１０（質量比）である。
また、本発明の別の態様は、より植物を育成し易いように、パテ状の物質に、カプセル肥料、カプセル農薬を添加するものである。
さらに、本発明の別の態様は、より植物を育成し易いように、パテ状の物質に、乾燥土類、鉱物類、乾燥植物類、乾燥家畜糞類から選ばれる保水材の１種又は２種以上を添加するものである。
本発明の農業用素材の具体的な用途は苗育成用植木鉢や農業用シートがある。
【０００５】
【本発明の実施の形態】
本発明において用いる脱脂ぬかは、日本において９０万トン／年、世界中で３３００万トン／年も排出されている米ぬかより、油を絞ったあとに残るものであり、どのような米であっても良い。
本発明において用いる天然糊は、澱粉類、穀類、芋類、タンパク質類、多糖類粘質物、ＣＭＣ（カルボキシメチルセルロース）等のセルロース誘導体、マンナン等が好ましく使用できる。
澱粉類には、例えば、馬鈴薯デンプン、甘薯デンプン、小麦粉デンプン、米デンプン、トウモロコシデンプン、タピオカデンプン、可溶性デンプン、デキストリン等があげられる。
穀類としては、小麦粉、米粉、栗粉、エンパク、キビ粉、そば粉、トウモロコシ粉、青麦粉、ライ麦粉、もろこし粉等があげられる。
芋類としては、馬鈴薯粉、甘薯粉、きく芋粉、こんにゃく芋粉、里芋粉、山芋粉等があげられる。前記タンパク質類には、ゼラチン、グルテン等があげられる。
【０００６】
本発明において用いる生分解性プラスチックスとしては、特開平０４−２２０４７８号公報、特開２００１−３２９１４９号公報、特開２００２−２０６０１号公報ほかに示されている生分解性ポリエステルがあり、例えばより具体的には、脂肪族ポリエステル（Ａ）、ポリラクトン（Ｂ）、及びそれらのポリマーを構成するモノマー構成単位の少なくとも一種以上を有する共重合ポリエステル（Ｃ）からなる生分解性樹脂組成物や、２−ヒドロキシ−２−アルキル酢酸単位のうち、６０モル％以上が乳酸残基である脂肪族カルボン酸と脂肪族ポリオールから合成される脂肪族ポリエステル成分を含むポリマーと、必須の成分として含有することを特徴とする生分解性ポリエステル樹脂組成物などがある。
【０００７】
本発明において用いるカプセル肥料、カプセル農薬は、水溶性の樹脂や分解性の樹脂で被覆した肥料、農薬であり、一定時間ののち効力を表す肥料や農薬を意味する。例えば特開２００１−２１３６８５号公報、特開２０００−１４３３７９号公報、２０００−６３１９２号公報、特開平１０−２５９０８３号公報などに記載されている。本発明はどのようなカプセル肥料、カプセル農薬であっても良い。その添加量については、格別の制限は無く、目的に応じて適宜決められる。
【０００８】
本発明で用いる保水材としては、乾燥させた黒土、赤玉土、腐葉土、堆肥、鹿沼土など乾燥土類を挙げることができる。土類以外の保水材としては、乾燥させたバーミキュライト、パーライト、ゼオライト、ベントナイト、などの鉱物類、乾燥させたピートモス、椰子殻、樹皮、干草、もみ殻、木粉などの乾燥植物類、乾燥鶏糞、乾燥馬糞、乾燥牛糞などの乾燥家畜糞類が挙げられる。とくに乾燥堆肥、乾燥馬糞、乾燥ピートモス、乾燥木粉、乾燥籾殻、乾燥干草、乾燥藁などを好適に用いることができる。
そして、これらの保水材を単独で、あるいはこれらの１種若しくは２種以上の混合物という形態で用いることができる。
【０００９】
本発明の実施の形態をまとめると、以下のとおりである。
（１）　脱脂ぬかに水を入れて加熱しながら混錬したパテ状の物質を含む農業用素材。
（２）　パテ状の物質に、澱粉類、穀類、芋類、タンパク質類、多糖類粘質物、セルロース誘導体、マンナンから選ばれる天然糊の１種又は２種以上を添加した上記した農業用素材。
（３）パテ状の物質に、生分解性プラスチックスの１種又は２種以上を添加した上記１又は上記２に記載された農業用素材。
（４）　パテ状の物質に、カプセル肥料、カプセル農薬を添加した上記１ないし上記３のいずれかひとつに記載された農業用素材。
（５）　パテ状の物質に、乾燥土類、鉱物類、乾燥植物類、乾燥家畜糞類から選ばれる保水材の１種又は２種以上を添加した上記１ないし上記４のいずれかひとつに記載された農業用素材。
（６）　上記１ないし上記５のいずれか一つに記載された農業用素材を用いて、成型した苗育成用植木鉢。
（７）　請求項１ないし請求項５のいずれか一つに記載された農業用素材を用いて、成型した農業用シート。
【００１０】
次に、本発明の実施例を説明する。
実施例１〜８
図１に農業用素材の例を示す。
農業用素材は次のようにして作製される。
（農業用素材の作成）
表１に示す割合で、米ぬかから得られる脱脂ぬかと水を、５０℃〜６０℃に加熱しながら、混合して約２４時間混錬した。可塑性を有する均質なパテ状の混合物が得られた。最終的な水の含有率は、約４５質量％であった。
このパテ状の物質に、表１に示す割合で、天然糊、生分解性プラスチックス、カプセル肥料、保水材を混合し、混錬して均質な成型可能な組成物を得た。
【００１１】
【表１】
2004008040.tif 000002
生分解性プラスチックスとして、ポリラクトンを含むポリエステルを用いた。
カプセル肥料として、窒素、リン、カリが質量比で３：１：１のものを用いた。
【００１２】
（植木鉢の成型）
次いで、実施例１〜８のパテ状の可塑物を圧力２２Ｍｐａで成型し、植木鉢（外形１５ｃｍ内径１４．５ｃｍ＊高さ２０ｃｍ）を加圧成形した。
植木鉢を、春から秋にかけて黒土３０ｃｍの深さに埋めて、６ケ月後に取り出し、表面に付着した微生物の多さについて、目視により観察した。バクテリア分解性の目安とした。
◎：微生物が非常に多い
○：微生物が多い
△：微生物が少しついている
さらに、実施例１〜８のパテ状の可塑物を押し出し成型機で厚さ１ｍｍフィルムに成型したところ、成型できるものと成型できないものがあった。
成型した植木鉢に、同時期にトーモロコシの苗を植えて、その成長の早さを目視により観察した。同じ大きさの市販の素焼きの植木鉢に植えたものと比較してその成長の早さを比べた。
◎：成長が非常に早い
○：成長が早い
△：かわらない
【００１３】
その特性を表２に示す。
【表２】
2004008040.tif 000003
【００１４】
（農業用シートの作成）
実施例４、６、７，８のパテ状の可塑物を圧力２０Ｍｐａで成型し、農業用のシート（６０ｃｍ＊１００ｃｍ＊０．５ｃｍ）を成形した。
この農業用シートについて、バクテリア分解性について、植木鉢と同じテストしたところ同様の結果が得られた。
【００１５】
【発明の効果】
本発明の農業用素材は、捨てられるだけであった脱脂ぬかを積極的に利用し、表２の結果からも明らかなように、畑に放置しても、自然界の中で十分に分解されることが明らかであり、本発明は自然サイクルのなかで循環できる環境に優しい農業用素材を作り出すことに成功した。